(57)【特許請求の範囲】
【請求項１】
複数の行と列とによって多数のセルを形成したワークシートからなり、
セルの位置を特定する行と列を、工区と作業日程により形成し、
前記工区は、複数の住戸をグループ化した工区グループで形成し、
前記作業日程は、複数の実働日数をユニット化した日程ユニットであって、各日程ユニットの実働日数は基本的に均等である日程ユニットで形成し、
施工内容の全体を作業種に応じて時系列的に分割してグループ化することにより、作業種を取りまとめた作業群を編成し、この作業群を、作業順序に従って付与された数字その他の連続符号からなる単純記号化した文字情報としてセルに表示し、
単純記号化した文字情報に対応する作業内容は、作業内容表に表示するように構成した、工程表。
【請求項２】
建物の仕上工事用である、請求項２に記載の工程表。
【請求項３】
請求項１又は２に記載の工程表と、さらに前記工区グループ・日程ユニットに対応してそれらの詳細内容をそれぞれ表示する工区表・日程表を備えた表システム。
【請求項４】
コンピュータの表作成手段によって作成され、コンピュータの記憶装置に記憶され、表示機器に表示され、かつ印刷機器に出力される、請求項１又は２に記載の工程表。
【請求項５】
前記コンピュータはネットワークに接続されており、ネットワークを介して作業者の端末に表示することができる、請求項４に記載の工程表。
【請求項６】
前記工程表は、ネットワークに接続されたコンピュータの記憶装置に記憶されており、ネットワークを介して作業者の端末からアクセスできるようにした、請求項１又は２に記載の工程表を使用する方法。
【請求項７】
請求項１又は２に記載の構成を備えた工程表としてコンピュータの表示機器に表示され又は印刷機器に出力されるようにデータが記録されたコンピュータ読み取り可能な記録媒体。
【発明の詳細な説明】
【０００１】
【発明の属する技術分野】
本発明は、工程表、特に集合住宅等の建物の仕上工事管理用として好適な工程表に関する。
【０００２】
【従来の技術】
建物の躯体工事や仕上工事においては、それぞれを構成する各工事は、その定められた工事の完了予定日までに工事を完了しなければならない。そのために施工計画を立て、施工計画に従って作業を行なう。施工計画を具現化したものの一つとして工程表がある。従来の仕上工事の工程表の例を図８に示す。この工程表は、縦軸に工区９０、横軸に工事日９１が表示され、各工区・工事日に対応する位置に、作業内容を、矢印付きの横線９２を伴って表示するようにしている。
【０００３】
【発明が解決しようとする課題】
上記従来の工程表は、工区が建物の住戸毎に表示され、また、工事日が一日単位で表示されており、詳細かつ複雑な表示である。工区・工事日は細分化され、多数の作業種毎に表示されるため、作業にあたる作業員の確保、資材の準備等を綿密に行い、厳格に実行する必要があり、作業者（実際に作業を行う者）にとって自由度は小さく、拘束度は大きい。作業の遅延等により計画倒れとなりやすく、計画どおりに作業が進行しない場合、その都度、工程表の修正を余儀なくされる。
【０００４】
また、規模の大きい建物では、仕上工事の工事期間が半年〜１年以上の長期にわたる場合が多いので、上記の工程表では、全工事期間にわたる工程表全体を表示することは実際上困難であり、そのように表示したとしても表は見にくく、利用しにくい。
【０００５】
本発明は、上記従来技術における不都合を考慮してなされたもので、工程表を簡素化し、工事、特に、仕上工事の計画の全体を容易に表示することができ、見やすく、全貌が把握しやすく、また、作業者にとって自由度が大きく、工事を円滑かつ確実に進行させることができる工程表及び表システムを提供することを目的とする。さらには、このような工程表の利用価値を増大し、利便性を向上させることを目的とする。
【０００６】
(1) 複数の行と列とによって多数のセルを形成したワークシートからなり、
セルの位置を特定する行と列を、工区と作業日程により形成し、
前記工区は、複数の住戸をグループ化した工区グループで形成し、
前記作業日程は、複数の実働日数をユニット化した日程ユニットであって、各日程ユニットの実働日数は基本的に均等である日程ユニットで形成し、
施工内容の全体を作業種に応じて時系列的に分割してグループ化することにより、作業種を取りまとめた作業群を編成し、この作業群を、作業順序に従って付与された数字その他の連続符号からなる単純記号化した文字情報としてセルに表示し、
単純記号化した文字情報に対応する作業内容は、作業内容表に表示するように構成した、工程表である。
【０００７】
本発明は、さらに次のような構成を備えるものとすることができる。
(2) 建物の仕上工事用工程表とする。
(3) 前記工程表と前記工区グループ・日程ユニットに対応してそれらの詳細内容をそれぞれ表示する工区表・日程表を備えた表システムとする。
【０００８】
また、本発明は、コンピュータの表作成手段によって作成され、コンピュータの記憶装置に記憶され、表示機器に表示され、かつ印刷機器に出力される、上記(1)又は(2)に記載の構成を有する工程表である。
この場合、前記コンピュータはネットワークに接続されており、ネットワークを介して作業者の端末に表示することができるものとするのが好ましい。
【０００９】
また、本発明は、前記(1)又は(2)に記載の工程表が、ネットワークに接続されたコンピュータの記憶装置に記憶されており、ネットワークを介して作業者の端末からアクセスできるようにした、前記工程表を使用する方法である。
さらに、本発明は、前記(1)又は(2)に記載の構成を備えた工程表としてコンピュータの表示機器に表示され又は印刷機器に出力されるようにデータが記録されたコンピュータ読み取り可能な記録媒体である。
【００１０】
【発明の実施の形態】
本発明の実施の形態について、集合住宅の仕上工事用の工程表の実施例を挙げて説明する。
【００１１】
先ず、本発明が集合住宅等の建物の仕上工事管理用として好適である理由を説明する。
集合住宅等の建物（典型例としてマンション）は複数の住戸の集合からなり、各住戸は、住戸間が壁で区画されて独立しているため、他の住戸の影響を受けずに仕上工事を施工できる。それゆえ、躯体工事等と異なり、工区を住戸単位でグループ化しやすく、また、このようにグループ化することによる不利はなく、本発明の工程表の効果を有効に発揮することができる。
また、仕上工事は、多くの作業種が関係しており、例えば、間仕切壁などの下地処理が完了していなければクロスは張れないといったように、それぞれの作業内容は前後の作業種の影響を受ける。しかし、予め前後工程に影響を与えることのないように作業種を考慮し、作業種を取りまとめた作業群を形成し、工事内容を時系列的にグループ化することは可能である。作業群にグループ化することで、作業に支障を来すような不都合は確実に解消されるとともに、後で述べるように工程表の効果を有効に発揮することができる。
【００１２】
図１は、仕上工事用の工程表１の説明図である。図１に示すとおり、工程表１は、複数の行２と列３とによって多数のセル４を形成したワークシート（表）からなっている。行２と列３は、工区２０と作業日程３０により形成されている。本実施例では、行２を工区２０、列３を作業日程３０によりそれぞれ形成しているが、行２を作業日程、列３を工区にすることもできる。
【００１３】
１つの行２を形成する工区２０は、複数の住戸をグループ化した工区グループ２１で形成されている。各工区グループ２１の内訳（住戸数）、工区グループ２１の数（全体の分割数）は、全住戸の数等を考慮して決定され、複数の住戸、例えば、３〜２５戸程度の住戸を一括りとしてグループ化し、１０〜３０個の工区グループ２１の数（分割数）とする。各工区グループ２１の住戸数はほぼ同程度が好ましいが、各住戸の規模、作業量が同じとは限らないので、異なる住戸数のグループが存在してもよい。本実施例では、建物の各フロア毎に５戸の住戸をグループ化して１８個の工区グループ２１を形成した例を示す。また、この工区グループ２１を表の左下を原点として上に向かって工事順に配置している。したがって、工区の全貌を非常に把握しやすい。
なお、住戸は、集合住宅における各住戸の他、ホテル等の宿泊施設、寮、病院その他の建築物において、区画されて独立した単位を構成する室、部屋等の空間（仕切られた空間）を含むものである。
【００１４】
工区グループ２１は、行位置を特定するように行表示欄２２に表示される。行表示欄２２の具体的記載は、工区グループ２１を識別可能なものであればよい。例えば、本実施例では、行表示欄２２には、工区グループ名（連続番号）２２ａ、フロア位置（階数）２２ｂ、住戸数２２ｃを表示している。
【００１５】
また、後で述べるように、工区グループ２１に対応してそれらの詳細内容を表示する工区表を、工程表１とは別体として、あるいは工程表１の一部として設けてもよい。このような工区表には、工区グループ２１を形成する各住戸（部屋番号）及び各住戸に関する各種情報（例えば、間取りタイプ、床面積など）を表示することができる。
【００１６】
１つの列３を形成する作業日程３０は、複数の実働日数をユニット化した日程ユニット３１で形成されている。日程ユニット３１は、複数の実働日数、例えば３〜７日程度の実働日数を一括りとしてユニット化する。各日程ユニット３１の実働日数は、基本的には均等である。本実施例では、実働日数５日でユニット化して日程ユニット３１を形成している。また、この日程ユニット３１を表の左下を原点として右に向かって工事順に配置している。日程ユニット３１は、各日程ユニット３１の作業の着手日から完了日までを含めた上でユニット化し、仕上工事の全工事期間にわたって、すべての日程ユニット３１を工程表１の列３に表示するとよい。
各日程ユニット３１の実働日数は均等とするのが、工程表の作成上は便利であるが、一部の日程ユニット３１で異なる実働日数とした不規則性をもたしてもよい。
【００１７】
日程ユニット３１は、列位置を特定するように列表示欄３２に表示される。列表示欄３２の具体的記載は、日程ユニット３１を識別可能なものであればよい。例えば、本実施例では、列表示欄３２には、日程ユニット名（連続番号）３２ａ、着手日３２ｂ・完了日３２ｃ、実働日数３２ｄを表示している。列表示欄３２は、図示のように表の下部に表示する他、表の上部に表示することもできる。
【００１８】
住戸の仕上工事は、種々の作業種を分担する作業者が各作業を時系列的に進行することによって完成される。作業種は、少なくとも一の作業者によって完了可能な基本的作業単位である。作業種に属する作業者は、自然人の他、法人などの組織体であってもよい。
【００１９】
工事内容を構成する多数の作業種は、１又は複数の作業種５１、５２を取りまとめた複数の作業群５０に編成される（図２参照）。
工事内容の全体を把握した上で、予め前後工程に影響を与えることのないように、作業種を取りまとめて作業群５０を編成する。各作業群５０は、施工内容の全体を作業種に応じて時系列的に分割してグループ化したものとなる。
各々の作業群５０は、同一の作業群５０に含まれる異なる作業者が、同一の日程ユニット３１に属する日に、同一の工区グループ２１の住戸を同時に施工しても、互いに衝突することなく円滑に作業を施工することができるように編成される。
本実施例では、工事内容を構成する作業種を１３個の作業群５０に分割してグループ化した例を示している。作業群５０の数、各作業群５０に属する作業種の数は、任意に設定することができる。
複数の作業群５０に編成することによって、仕上工事を行う作業者の全数を作業群５０の数に減少して扱うことができ、日程ユニット３１、工区グループ２１の計画が容易になる。従来、仕上工事では多数の作業者が複雑な順位で時系列的に施工することを管理していたが、このような非効率性を改善し、本実施例は飛躍的に効率化することができる。
【００２０】
これら作業群５０を、互いに識別可能な単純記号化した文字情報４１としてセル４に表示する。セル４は、複数の行２と列３とによって形成され、行位置と列位置の双方によって特定される部位（１コマ）である。
工程表１のセル４に、単純記号化した文字情報４１を表示するため、割り付け表示が簡単であり、出来た表はきわめて見やすい。
【００２１】
セル４は、行２と列３とによって特定されるワークシートの升目として表現される。各々のセル４は、工区グループ２１、日程ユニット３１に対応する単純記号化した文字情報４１を記憶する領域であればよい。従って、ワークシートを使用しない場合には、例えば、工区グループ２１（工区グループ名２２ａ）、日程ユニット３１（日程ユニット名３２ａ）によって特定される、変数としてプログラム化することができる。
【００２２】
単純記号化した文字情報４１は、作業順序に従って付与された数字その他の連続符号（上昇順又は下降順のいずれでもよい）からなるものが便利である。本実施例では、数字による連続符号で単純記号化している。単純記号は、それ自体では作業の意味内容を詳細に把握し得ない、好ましくは１〜数個の文字又は記号とする。数字の他、例えばアルファベット、カナ文字等を単独で又は組み合わせて用いることができる。
【００２３】
一の作業者がほぼ同時期に行うべき同種の作業について複数の作業群５０に跨って存在しないように作業群５０を編成する。したがって、各作業者は自己の行うべき作業に関し、セル４に表示された、単純記号化した文字情報４１を介して容易に把握し、そのセル４の位置によって、工区及び日程を簡単かつ正確に確認することができる。また、ワークシートの行２には、各工区グループ２１における作業内容が一覧され、作業内容の時系列的な流れの全貌を即座に把握することができる。ワークシートの列３には、各日程ユニット３１における作業内容が一覧され、対応する工区グループ２１の作業状況の全容を把握することができる。仕上工事の全工事期間を網羅する作業の内容、日程、工区を、単純記号化した文字情報４１が表示されたセル４を介して把握することが可能となる。
【００２４】
単純記号化した文字情報４１に対応する作業内容は、作業内容表５に表示される。作業内容表５は、工程表１の一部として構成しても、あるいは、別体として構成してもよい。また、作業内容表５は、単数でなく、複数用いることができる。複数の作業内容表５とする場合、ツリー構造を用いて複数階層における表を作成してもよい。
【００２５】
図１では、工程表１内（余白部等）に、最上位の概括的な作業内容表５（５ａ）を表示するようにしている。この作業内容表５ａは、単純記号化した文字情報４１と、作業内容の表示５１を有している。作業内容の表示５１は、各々の作業群５０の作業内容を簡略に示している。例えば、図２に示すような、各々の作業群５０に含まれる複数の作業種５１、５２を代表するような作業種５１を、作業内容の表示５１として表示する。なお、作業内容の表示５１は、複数の作業種を包括するような表示でもよいが、この場合は、作業内容の表示５１は直接には具体的な作業種を意味しない。
【００２６】
また、工程表１とは別体として、上記作業内容表５ａよりもさらに作業内容を詳細に表示した複数の作業内容表５ｂ、５ｃを設けるようにしている。
【００２７】
図２に例示する作業内容表５ｂには、工程表１に表示された単純記号化した文字情報４１と、作業内容の表示５１と、作業内容の表示５１には表れない作業種５２の各記載を備えている。図２に例示する作業種には、作業内容の表示５１と、作業内容の表示５１には表れない作業種５２が該当する。したがって、作業内容の表示５１及び作業種５２のそれぞれが、特許請求の範囲の「作業種」に相当し、これらが集合して「作業群５０」を形成している。すなわち、作業内容表５ｂは、各文字情報４１に対応する作業群５０（作業内容の表示５１及び作業種５２）を一覧可能に表示している。作業内容表５ａを用いずに、この作業内容表５ｂのみを使用することも可能である。
【００２８】
この作業内容表５ｂは、工程表１に表示された単純記号化した文字情報４１が左端において下側へ順番に記載され、その隣りに作業内容の表示５１が記載され、作業内容の表示５１の右側には、作業内容表５ａの作業内容の表示５１には表れない複数の作業種５２がブロック状に表示されている。
各文字情報４１（図２の４１ａ、４１ｂ、〜４１ｆなど）は、各作業群５０の番号を示す。このように、各文字情報４１に対応する作業内容の表示５１及び作業種５２が一覧され見やすいので、各作業者は自己の行う作業種を簡単に見つけることができ、単純記号化した文字情報４１との対応関係を把握できるようになっている。作業内容の表示５１及び作業種５２のそれぞれには作業種ＩＤ番号５３が付されている。
【００２９】
図３に例示する作業内容表５ｃは、作業内容表５ａ及び５ｂに対応して、作業内容及び作業者等を、詳細に表形式に表示したものである。作業内容表５ｃは、作業内容の表示５１及び作業種５２のそれぞれに付された作業種ＩＤ番号５３と、工程表１に表示された単純記号化した文字情報４１と、作業内容の表示５１及び作業種５２と、作業者５４の各記載を備えている。各作業と、それを行う作業者や単純記号化した文字情報４１等を確認できるようになっている。
【００３０】
上記の作業内容表５ａ、 5ｂ、 5ｃ及び工程表１によって、施工者、作業者等は、各作業者が行うべき作業、工区及び日程を、簡単明瞭に把握することができる。
【００３１】
工程表１の作成手順は、特に限定されるものではない。例えば、先ず、仕上工事の工事期間の始期、終期が定められる。工事期間の始期は、支保工の解体、終期は工事完了の検査終了日によって決まるのが一般的である。休日等を除いた実働日数を算出し、建物の構造、住戸数、規模等と、作業内容を考慮して、適宜数の工区グループ２１に分割するとともに日程ユニット３１をユニット化する。得られた工区グループ２１及び日程ユニット３１を工程表１に表示する。また、各工区グループ２１及び各日程ユニット３１への分割と並行して、工事内容について、作業順序、作業量の平準化等を考慮し、作業種を取りまとめて複数の作業群５０を形成する。この作業群５０を単純記号化した文字情報４１を、複数の行２と列３とによって形成されたセル４に表示する。
【００３２】
図１に示されるとおり、完成した工程表１において、単純記号化した文字情報４１が表示されるセル４部分は、全体としては略平行四辺形を呈するものである。また、その同じ文字情報４１が表示された各セル部分４を見ると、階段状に形成され、列方向に表示された各日程ユニット３１において同じ文字情報４１が（異なる工区グループ２１で）重複する部分はない。これは、各日程ユニット３１において複数の工区グループ２１での作業が重複しないことを意味する。
【００３３】
図１に示す工程表１では、表の左辺に工区グループ２１（工区グループ名２２ａ）が列方向に複数個（図１では１８個）積層的に表示され、表の上辺、下辺に複数の日程ユニット名３２ａが行方向に番号順（図１では３０〜１）に表示されている。
各工区グループ２１では、行方向に複数（図１では作業内容表５ａに示す１３個）の作業群５０が文字情報４１の番号順（０〜１２）に並んで表示されている。各工区グループ２１に対し、同一の作業群５０に含まれる作業種を分担する作業者を日程ユニット３２（日程ユニット名３２ａ）の番号順に従って順次投入すればよい。作業が平準化され、効率的に工事を進められる。
【００３４】
なお、図１の工程表は理想的な基本的一形態を示しており、単純記号化した文字情報４１が表示されるセル４部分は、全体としては平行四辺形を呈しているが、同じ作業員による工事は、反復作業による習熟効果が期待されるので、予めこれを見こんだ上で、やや下辺が上辺よりも長い形状（略台形）を呈するようにしてもよい。すなわち、この場合、ほぼ平行四辺形の下側の領域で、左右に隣り合うセル４に、同じ単純記号化した文字情報４１が続けて表示される部分が生じ、各日程ユニット３１において同じ文字情報４１が（異なる工区グループ２１で）重複する部分が生じる。しかし、その場合でも、通常、同じ文字情報４１が表示された各セル部分の大半は、階段状に形成される。
【００３５】
なお、工程表１の工区グループ２１・日程ユニット３１に対応してそれらの詳細内容をそれぞれ工区表６・日程表７に表示するように構成するのが望ましい。この場合、工区表６・日程表７は、工程表１の一部として構成しても、あるいは、別体として構成してもよい。また、工区表６・日程表７は、単数でなく、複数用いることもできる。工区表６・日程表７を、工程表１とは別体として構成し、これらを統合することにより表システムを構成することができる。
【００３６】
図４は、工区表６を例示するものである。工区表６は、各住戸番号６１、所属する工区グループ２１、各住戸毎に連続符号で付されたＩＤ番号６２、タイプ名（例えば、間取りタイプ）６３を備えてなる。
【００３７】
図５は、日程表７を例示するものである。日程表７は、暦表示内に、工程表１の日程ユニット３１における列表示欄３２に記載された日程ユニット名（連続番号）３２ａを表示してなる。
【００３８】
上記説明した工程表１、さらには作業内容表５ａ、 5ｂ、 5ｃや工区表６、日程表７は、施工現場の事務所や施工管理者と作業者の打合せ室等に掲示し、工事関係者の利用に供される。
【００３９】
建築主（施主）から工事全体に請け負った施工者が、実際の工事を作業者に委託し管理して建物を施工するが一般的である。施工現場では、施工者に属する現場員が、作業者の手配、工事管理を行う。工事監理者（設計者が担当することが多い）は、建築主と施工者の間にあって、工事が設計図書通りに実施されているか否かを監理する。
【００４０】
図１に示す工程表１では、全工事期間にわたって、工区グループ２１（工区グループ名２２ａ）、日程ユニット３１（日程ユニット名３２ａ）によって特定されるセル部分４に文字情報４１が規則的に配置されている。各文字情報４１は各作業群５０の番号に相当するので、各作業者は自己が属する作業群５０の表示に従って、何処の住戸（工区グループ２１）を何時に（日程ユニット３１）施工すればよいかを、また、全工事期間にわたる工程計画を事前に正確に知ることができる。作業種によっては、作業者が同一の工区グループ２１を施工するのに要する日数は異なるので、日程ユニット３１に指定された工事着手日から完了日までに自己の分担する作業を効率的に施工することができる。
【００４１】
施工者は、工区グループ２１（工区グループ名２２ａ）、日程ユニット３１（日程ユニット名３２ａ）に従って、多数の作業者の手配、工事管理を全工事期間にわたって、規則的且つ計画的に行うことができる。
施工者は、日程ユニット３１で指定された特定の日に施工すべき全部の工区グループ２１で進行する、全部の作業群５０、作業種、作業者について、容易に管理することができる。
また、施工者は、作業者が施工した過去の作業実績を、文字情報４１にリンクする形で蓄積したデータによって容易に集計することができる。
【００４２】
本発明の工程表は、コンピュータの表作成手段を用いて作成され、コンピュータの記憶装置に記憶され、表示機器に表示され、かつ印刷機器に出力される工程表とすることができる。表作成手段としては、いわゆる表計算ソフトあるいは専用のアプリケーションプログラム等を用いることができる。工程表は、紙媒体として作成される他、コンピュータの記憶装置に記憶され、表示装置に表示され、かつ印刷装置に出力される電子データとして作成してもよい。最終的にワークシートの形態で視認され、機能を発揮する。
【００４３】
図６は、本発明の工程表を作成するためのシステムの構成例を示すブロック図である。このシステム１００は、ＣＰＵ（中央処理装置）１０１と、バス１０２を介して接続されたＲＡＭ１０３、ＲＯＭ１０４、入力装置（キーボードやマウス等）１０５、表示装置（ＣＲＴやＬＣＤ等）１０６、印刷装置（レーザプリンタ等）１０７、記憶装置１１０を備える。
【００４４】
記憶装置１１０は、表作成手段としての表計算ソフトあるいは専用のアプリケーションプログラム１１１の他、ＯＳ等の各種プログラムが格納された記憶媒体（ハードディスクや光ディスク等）を備える。ＲＡＭ１０３は上記プログラムの作業領域を提供するとともに作業結果の一時的な記憶手段として機能する。ＣＰＵ１０１は、ＲＯＭ及びＲＡＭに格納されたプログラムに従ってこのシステム全体の各種動作を制御する。
【００４５】
表作成手段を起動し、入力装置１０５を介してのデータ入力によって工程表は作成され、表示装置１０６に表示される。作成された工程表１は記憶装置内１１０の記憶媒体やＭＯ，ＦＤ等の記憶媒体に保存される。また、出力指示によって、印刷装置１０７へ出力され、印刷される。保存された工程表１は、記憶装置１１０から読み出され、表示機器１０６に表示され又は印刷機器１０７に出力されることができる。
【００４６】
同様にして、作業内容表５、工区表６、日程表７を、表作成手段によって作成し、記憶装置１１０に記憶させ、表示機器１０６に表示させ、印刷機器１０７に出力させることができる。
【００４７】
図７は、上記した工程表を作成するためのシステムの利用例を示す説明図である。上記のように構成されたシステム１００は、サーバ（供給側コンピュータシステム：施工者の端末）として構成されている。
クライアント１２０は、各種の端末システムで構成される作業者の端末である。これらサーバ１００とクライアント１２０は、図示省略した入出力制御手段を介してネットワーク（インターネット、公衆通信回線網、ＣＡＴＶ回線網等）１３０に接続されている。
【００４８】
クライアント１２０は、代表的には、ＣＲＴやＬＣＤ等の表示装置、マウス、キーボード等の入力手段、プリンタ等の出力装置を有するが、携帯電話を含む携帯情報端末として構成することも可能である。
【００４９】
クライアント１２０は、ネットワーク１３０を介してサーバ１００に接続され、サーバ１００はクライアント１２０からの工程表の読み出し要求を受ける。読み出し要求が受け入れられた場合に、サーバ１００の記憶装置１１０から工程表１が読み出され、クライアント１２０の表示装置に表示することができる。なお、少なくとも作業者の端末をクライアントとするものであって、クライアントとして、作業者の端末以外に拡大することは自由である。例えば、図７では、作業者の端末１２０の他に、現場員の端末１２１、工事監理者の端末１２２をクライアントとして構成した例を示している。
【００５０】
このように、工程表１は、サーバ１００の記憶装置１１０に記憶されており、ネットワーク１３０を介して作業者の端末１２０からアクセスできるため、タイムリーに工程その他の情報が得られ、工程表の利用価値が増大し、利便性が著しく向上する。
【００５１】
以上、本発明の実施の形態を説明したが、本発明は上記の実施の形態に限定されるものではなく、本発明の要旨の範囲で種々の変形、付加等が可能である。
【００５２】
【発明の効果】
本発明に係る工程表によれば、工程表が簡素化され、工事特に仕上工事の計画の全体を容易に表示することができ、見やすく、全貌が把握しやすく、管理もなしやすく、また、作業者にとって自由度が大きく、工事を円滑かつ確実に進行させることができる。特に、各作業者が行うべき作業に関し、セルに表示された、単純記号化した文字情報を介して容易に把握し、そのセルの位置によって、工区及び日程を簡単かつ正確に確認することができる。各セルには予め作業種を取りまとめた作業群が、日程ユニット・工区グループ毎に表示されるため、作業者にとって融通性があり、各日程ユニット・工区グループで最適な作業手順等を選択し得る。各セルには作業種を取りまとめた作業群を規則的に割り付けることができるので、労務（作業量）の平準化が可能となり、計画どおりに確実に作業を進めることができる。確実な作業の進行により工程表を修正する手間が省ける。また、施工状況の把握、検査は、日程ユニット毎に行えばよいから、効率的で管理しやすい。作業全期間を網羅する作業の内容、日程、工区を、セルの表示を介して把握することが可能となる。
【００５３】
また、請求項２〜８に係る発明の各構成を備えることにより、このような工程表の利用価値を増大し、利便性を著しく向上させることができる。
【図面の簡単な説明】
【図１】本発明の実施例に係る仕上工事用の工程表１の説明図である。
【図２】作業内容表５ｂを例示する説明図である。
【図３】作業内容表５ｃを例示する説明図である。
【図４】工区表６を例示する説明図である。
【図５】日程表７を例示する説明図である。
【図６】工程表を作成するためのシステムの構成例を示すブロック図である。
【図７】工程表を作成するためのシステムの利用例を示す説明図である。
【図８】従来の仕上工事の工程表を例示する説明図である。
【符号の説明】
１  工程表
２  行
３  列
４  セル
５ａ，５ｂ，５ｃ  作業内容表
６  工区表
７  日程表
２０  工区
２１  工区グループ
２２  行表示欄
２２ａ  工区グループ名
３０  作業日程
３１  日程ユニット
３２  列表示欄
３２ａ  日程ユニット名
４１  単純記号化した文字情報
５０  作業群
５１  作業内容の表示（作業種）
５２  作業種
５３  作業種ＩＤ番号
１００  工程表を作成するためのシステム
１０５  入力装置
１０６  表示装置
１０７  印刷装置
１１０  記憶装置
１２０  クライアント（作業者端末）
１３０  ネットワーク
【図１】
0003971583.tif 000002
【図２】
0003971583.tif 000003
【図３】
0003971583.tif 000004
【図４】
0003971583.tif 000005
【図５】
0003971583.tif 000006
【図６】
0003971583.tif 000007
【図７】
0003971583.tif 000008
【図８】
0003971583.tif 000009